(57)【要約】      （修正有）【課題】射出成形では通常ランナー部は廃棄される。ランナー部を熱し、製品部のみを冷却するホットランナー式の金型も存在するが、導入コストが高い。様々な製品の金型に共通して使える、比較的容易で、低コストのホットランナー式の金型の提供。【解決手段】固定側金型を交換式固定側型板３と固定側ホットランナーシステムプレートプレート５に分離し、交換式固定側型板３のみを交換し、移動側も交換式移動側型板１２のみを交換し、交換を容易にかつ正確に行なえる交換ガイドプレート１３，１４を具備するホットランナー方式の金型１。【選択図】図１
2017077710.tif 000002
【特許請求の範囲】
【請求項１】
交換式固定側型板及び交換式移動側型板
ホットランナー方式の金型において、固定側を、キャビティを含む固定側型板と、ホットランナーを具備する固定側ホットランナーシステムプレートに分離し、金型交換の際には、キャビティを含む固定側型板と、移動側型板のみを交換することを特徴とするホットランナー方式の金型。
【請求項２】
型板の交換機構
請求項１に記載の交換式固定側型板と、交換式移動側型板を交換する際に、移動側取り付け板の下部に具備された移動側型板交換ガイドプレートと、固定側取り付け板の下部に具備された固定側型板交換ガイドプレートを使用して、前記交換式固定側型板と、前記交換式移動側型板が落下することを防ぐことと、精度良く平行に滑らかに移動でき、位置決めできることを特徴とする請求項１に記載のホットランナー方式の金型。
【請求項３】
位置可変式のエジェクターピン
請求項１および２に記載の交換式移動側型板において、エジェクターピンの位置を可変する装置を具備するエジェクタープレートＡと、エジェクターピンの位置が固定されているエジェクターピンを具備するエジェクタープレートＢと、エジェクターピンの案内ガイドを具備する受け板を具備することを特徴とする請求項１、２に記載のホットランナー方式の金型。
【発明の詳細な説明】
【技術分野】
【０００１】
ホットランナー成形金型に関する。
【背景技術】
【０００２】
一般的な射出成形金型であるコールドランナー金型でプラスチック製品を成形する場合、スプルー及びランナー部と呼ばれる無駄な廃棄物が製品と一緒に冷却され、取り出されてしまう問題がある。このコールドランナー金型では、これらのスプルー及びランナー部が全て廃材となるため廃材コストが大きく、生産コストを大きく上げる要因となっている。
【０００３】
この廃材コストの問題点を解決するための手段として、スプルー及びランナー部を加熱して製品部のみを冷却するホットランナー方式の金型があげられる。
【先行技術文献】
【特許文献】
【０００４】
【特許文献１】特開平８−１２７０４５号公報
【０００５】
前記特許文献１ではランナレス金型が記載されているが、これもスプルー及びランナー部を加熱して、製品成形部のみを冷却するホットランナー方式の金型である。例えばプラスチックカトラリー製品であるフォークやスプーン等の複数種類の製品を成形する場合、彫り込みのある金型を、柄のような共通な部分と、それぞれの製品の形に応じた部分に分けて製造し、それぞれの製品形に応じた部分のみの金型を交換すれば良いことを特徴としているが、これでは製品の種類や形状が制限されてしまう。
【発明の概要】
【発明が解決しようとする課題】
【０００６】
前記の問題に鑑み、無駄な廃棄物を生むコールドランナー金型に代わって、ランナー部を熱し、製品成形部のみを冷却する従来型ホットランナー式の金型も存在するが、
この従来からのホットランナー成形金型では、１種類の製品を製作する成形金型に対し１台のホットランナーシステムを搭載する必要がある為、金型製造コストが異常に高く、桁違いの大量生産が必要とされる分野以外では、金型償却が困難であり普及は進んでいない。本発明では、製品成形部の固定側型板と移動側型板のみを交換する方式の安価なホットランナー成形金型を提供する。
【課題を解決するための手段】
【０００７】
ホットランナー方式の金型において、固定側を、キャビティを含む固定側型板と、ホットランナーを具備する固定側ホットランナーシステムプレートに分離し、金型交換の際には、キャビティを含む固定側型板と、移動側型板のみを交換することを特徴とするホットランナー方式の金型。
【０００８】
請求項１に記載の交換式固定側型板と、交換式移動側型板を交換する際に、移動側取り付け板の下部に具備された移動側型板交換ガイドプレートと、固定側取り付け板の下部に具備された固定側型板交換ガイドプレートを使用して、前記交換式固定側型板と、前記交換式移動側型板が落下することを防ぐことと、精度良く平行に滑らかに移動でき、位置決めできることを特徴とする請求項１に記載のホットランナー方式の金型。
【０００９】
請求項１および２に記載の交換式移動側型板において、エジェクターピンの位置を可変する装置を具備するエジェクタープレートＡと、エジェクターピンの位置が固定されているエジェクターピンを具備するエジェクタープレートＢと、エジェクターピンの案内ガイドを具備する受け板を具備することを特徴とする請求項１、２に記載のホットランナー方式の金型。
【発明の効果】
【００１０】
本発明では、製品成形部の固定側型板と移動側型板のみを製作し交換する方式のホットランナー成形金型を使用することにより、１台のホットランナーシステムで多種類の成形品を生産する事が可能な金型となり、金型が安価になり生産コストを削減することが可能となる。
【図面の簡単な説明】
【００１１】
【図１】本発明の金型の全体の斜視図である。
【発明を実施するための形態】
【実施例１】
【００１２】
以下本発明のうち、実施例１の形態を図１に基づいて説明する。図１は、左側に固定側、右側に移動側を、見やすくするために描いているが、現物は直線上に配置されている。
【００１３】
図１は本発明のホットランナー成形金型１の全体の斜視図である。ホットランナー成形金型１において、固定側を、キャビティ２を含む交換式固定側型板３と、ホットランナー４を具備する固定側ホットランナーシステムプレート５に分離し、前記交換式固定側型板３を交換可能にする。
【００１４】
また移動側においては、位置可変エジェクターピン６を位置可変にする装置を具備するエジェクタープレートＡ７と、位置固定エジェクターピン８を具備するエジェクタープレートＢ９と、位置可変エジェクターピン６と位置固定エジェクターピン８を案内する案内ガイド１０を具備する受け板１１とを設ける。
【００１５】
請求項１に記載の交換式固定側型板３と、交換式移動側型板１２を金型１から取り外す際に、移動側取り付け板の下部に具備された移動側型板交換ガイドプレート１３と、固定側取り付け板の下部に具備された固定側型板交換ガイドプレート１４にて、落下を受け止めるため、交換の迅速化が図れる。
【００１６】
以上、本発明の実施の形態を説明したが、本発明の範囲は、これに限定されるものではなく、本発明の要旨を逸脱しない範囲において、種々変更を加え得ることは勿論である。
【００１７】
また、本発明は上述の発明を実施するための最良の形態に限らず、本発明の要旨を逸脱することなく、その他種々構成を取り得ることは勿論である。
【符号の説明】
【００１８】
１  ホットランナー成形金型
２  キャビティ
３  交換式固定側型板
４  ホットランナーシステム
５  固定側ホットランナーシステムプレート
６  位置可変エジェクターピン
７  位置可変エジェクタープレートＡ
８  位置固定エジェクターピン
９  エジェクタープレートＢ
１０  案内ガイド
１１  受け板
１２  交換式移動側型板
１３  移動側型板交換ガイドプレート
１４  固定側型板交換ガイドプレート
１５  固定側取り付け板
１６  スペーサブロック
１７  移動側取り付け板
１８  射出成形機ノズル
【図１】
2017077710.tif 000003